(57)【特許請求の範囲】
【請求項１】
両側端部に所要の角度の側方突出部を有し、かつ上方に一対の垂直部を有すると共に、下方にこの垂直部の延長線上に所要の角度の頂部を形成した下方突出部を有する張出部をそれぞれ形成し、前記一対の垂直部間に一対の山形状突出部を連続して形成し、さらに前記下方突出部間に係止鈎部を周辺に有する隅飾り部を突出形成した薄金属板からなる展開した屋根用隅飾り具本体を具備し、前記一対の上方垂直部と下方突出部の頂部とを結ぶ線上を互いに表面側にそれぞれ折曲し、かつ前記一対の上方山形状突出部の頂部の延長線上を互いに裏面側にそれぞれ折曲し、さらに前記隅飾り部の係止鈎部を裏面側にそれぞれ重合折曲形成した屋根用隅飾り具による金属板屋根葺き施工法であって、第１の手順においては、最下位の屋根用隅飾り具を、降り棟の屋根下地板の上に載置し、前記隅飾り重合部と前記張出部との間にそれぞれ形成されている間隙に、金属屋根板の側端縁を左右からそれぞれ挿入し、これらの金属屋根板のエッジ部を、屋根取付け金具を介して屋根下地板にそれぞれ固定し、第２の手順においては、前記最下位の屋根用隅飾り具の次に同様の屋根用隅飾り具を降り棟の屋根下地板の上に載置して、同様に前記隅飾り重合部と前記張出部との間にそれぞれ形成されている間隙に、金属屋根板の側端縁を左右からそれぞれ挿入し、これらの金属屋根板のエッジ部を、屋根取付け金具を介して屋根下地板にそれぞれ固定し、以下第１の手順と同様に、前記屋根用隅飾り具および金属屋根板を降り棟の屋根下地板の上に止着し、順次最上部まで葺上げて屋根を施工することを特徴とする屋根用隅飾り具による金属板屋根葺き施工法。
【発明の詳細な説明】
【０００１】
【発明の属する技術分野】
本発明は、屋根用隅飾り具による金属板屋根葺き施工法に関するものである。
【０００２】
【従来の技術】
従来の第１の屋根用隅飾り具による金属板屋根葺き施工法としては、図１１の展開図に示すような化粧カバー５０を用い、降り棟を中心として、切り揃えた金属屋根板５１，５１の両側端部の隙間に、前記化粧カバー５０を差し込む方法がある。
また、従来の第２の屋根用隅飾り具による金属板屋根葺き施工法としては、図１２の組立断面図に示すようなものがある。すなわち、この図においては、所要の角度を有する降り棟の裏板５２の上に、一対の棟板５３を固定し、この棟板５３の上から屋根用隅飾り具５４を、金属屋根板５５，５５と共に挟み包む方法である。
また、従来の第３の屋根用隅飾り具による金属板屋根葺き施工法としては、図１３の概略断面図に示すようなものがある。すなわち、この図においては、現場でハゼ組み加工をするものであり、差し込み側部分５６とハゼ側部分５７とを適宜組み合わせる方法である。
【０００３】
【発明が解決しようとする課題】
ところが、上記第１の従来技術では、施工に手間が掛かり、水漏れなども発生しやすい問題点があった。
また、上記第２の従来技術では、部品点数が多く、施工が厄介であり、コスト高となり、金属屋根板５５の伸縮によって屋根用隅飾り具５４が破壊する恐れがあり、強度的に弱く、水漏れなども発生しやすいなどの問題点があった。
また、上記第３の従来技術では、現場での加工が厄介であり、組立て施工も面倒で、熟練工の手間が掛かるなどの問題点があった。
【０００４】
【課題を解決するための手段】
本発明の屋根用隅飾り具による金属板屋根葺き施工法は、上記課題を解決すべくなされたものであり、両側端部に所要の角度の側方突出部を有し、かつ上方に一対の垂直部を有すると共に、下方にこの垂直部の延長線上に所要の角度の頂部を形成した下方突出部を有する張出部をそれぞれ形成し、前記一対の垂直部間に一対の山形状突出部を連続して形成し、さらに前記下方突出部間に係止鈎部を周辺に有する隅飾り部を突出形成した薄金属板からなる展開した屋根用隅飾り具本体を具備し、前記一対の上方垂直部と下方突出部の頂部とを結ぶ線上を互いに表面側にそれぞれ折曲し、かつ前記一対の上方山形状突出部の頂部の延長線上を互いに裏面側にそれぞれ折曲し、さらに前記隅飾り部の係止鈎部を裏面側にそれぞれ重合折曲形成した屋根用隅飾り具による金属板屋根葺き施工法であって、第１の手順においては、最下位の屋根用隅飾り具を、降り棟の屋根下地板の上に載置し、前記隅飾り重合部と前記張出部との間にそれぞれ形成されている間隙に、金属屋根板の側端縁を左右からそれぞれ挿入し、これらの金属屋根板のエッジ部を、屋根取付け金具を介して屋根下地板にそれぞれ固定し、第２の手順においては、前記最下位の屋根用隅飾り具の次に同様の屋根用隅飾り具を降り棟の屋根下地板の上に載置して、同様に前記隅飾り重合部と前記張出部との間にそれぞれ形成されている間隙に、金属屋根板の側端縁を左右からそれぞれ挿入し、これらの金属屋根板のエッジ部を、屋根取付け金具を介して屋根下地板にそれぞれ固定し、以下第１の手順と同様に、前記屋根用隅飾り具および金属屋根板を降り棟の屋根下地板の上に止着し、順次最上部まで葺上げて屋根を施工することを特徴とする。
【０００５】
【発明の実施の形態】
本発明の屋根用隅飾り具による金属板屋根葺き施工法は、上述のように両側端部に所要の角度の側方突出部を有し、かつ上方に一対の垂直部を有すると共に、下方にこの垂直部の延長線上に所要の角度の頂部を形成した下方突出部を有する張出部をそれぞれ形成し、前記一対の垂直部間に一対の山形状突出部を連続して形成し、さらに前記下方突出部間に係止鈎部を周辺に有する隅飾り部を突出形成した薄金属板からなる展開した屋根用隅飾り具本体を具備している。
そして、このような前記屋根用隅飾り具本体の一対の上方垂直部と下方突出部の頂部とを結ぶ線上を互いに表面側にそれぞれ折曲し、かつ前記一対の上方山形状突出部の頂部の延長線上を互いに裏面側にそれぞれ折曲し、さらに前記隅飾り部の係止鈎部を裏面側にそれぞれ重合折曲形成している屋根用隅飾り具を使用する。
まず、第１の手順においては、最下位の屋根用隅飾り具を、降り棟の屋根下地板の上に載置し、前記隅飾り重合部と前記張出部との間にそれぞれ形成されている間隙に、金属屋根板の側端縁を左右からそれぞれ挿入し、これらの金属屋根板のエッジ部を、屋根取付け金具を介して屋根下地板にそれぞれ固定し、第２の手順においては、前記最下位の屋根用隅飾り具の次に同様の屋根用隅飾り具を降り棟の屋根下地板の上に載置して、同様に前記隅飾り重合部と前記張出部との間にそれぞれ形成されている間隙に、金属屋根板の側端縁を左右からそれぞれ挿入し、これらの金属屋根板のエッジ部を、屋根取付け金具を介して屋根下地板にそれぞれ固定し、以下第１の手順と同様に、前記屋根用隅飾り具および金属屋根板を降り棟の屋根下地板の上に止着し、順次最上部まで葺上げて屋根を施工する。
【０００６】
【実施例】
以下、本発明の屋根用隅飾り具による金属板屋根葺き施工法の実施例について詳細に説明するが、本発明は、以下の実施例に限定されるものではなく、その実施態様を多少変えるように設計変更することは可能である。
図１〜図１０は、本発明の一実施例を示し、図１は、本発明の屋根用隅飾り具による金属板屋根葺き施工法に使用される屋根用隅飾り具の屋根用隅飾り具本体の一実施例を示す展開平面図である。図２は、屋根用隅飾り具本体における一対の上方垂直部と下方突出部の頂部とを結ぶ線上を互いに表面側にそれぞれ折曲し、かつ一対の上方山形状突出部の頂部の延長線上を互いに裏面側にそれぞれ折曲した状態を示す屋根用隅飾り具の表面図であり、図３は、同屋根用隅飾り具の裏面図である。図４は、さらに隅飾り部の係止鈎部を裏面側にそれぞれ重合折曲した状態を示す屋根用隅飾り具の表面図であり、図５は、同屋根用隅飾り具の裏面図である。図６は、中心線部を降り棟の角度に対応する角度に折曲して示す屋根用隅飾り具の表面図であり、図７は、同正面図である。図８は、屋根用隅飾り具を寄棟屋根の降り棟に使用した状態を示す斜視図である。図９は、屋根用隅飾り具を使用して寄棟屋根を施工する第１の手順について説明するための部分説明図であり、図１０は、同第２の手順について説明するための部分説明図である。
【０００７】
１０は、薄金属板からなる屋根用隅飾り具本体で、図１に示すような展開状態においては、両側端部に所要の角度の側方突出部１１を有し、かつ上方に一対の垂直部１２を有すると共に、下方にこの垂直部１２の延長線上に所要の角度の頂部を形成した下方突出部１３を有する張出部１４をそれぞれ形成し、前記一対の垂直部１２間に一対の山形状突出部１５を連続して形成し、さらに前記下方突出部１３間に係止鈎部１６を周辺に一体に有する隅飾り部１７を突出形成している。
前記隅飾り部１７の係止鈎部１６には、２つの第１係止片部１８および第２係止片部１９が一体に形成している。
図１に示す２０，２０、２１，２１、２２，２２、２３，２３は、それぞれ各仮想折曲線である。
なお、第１係止片部１８、第２係止片部１９の形状や数量や位置は、必要に応じて適宜変えられること勿論である。
【０００８】
このような薄金属板からなる屋根用隅飾り具本体１０を使用して本発明の屋根用隅飾り具２４を形成するに当たっては、まず、図２〜図３に示すように前記一対の上方垂直部１２と下方突出部１３の頂部１３ａとを結ぶ線上の図１に示す第１仮想折曲線２０，２０を互いに表面側にそれぞれ折曲すると共に、前記一対の上方山形状突出部１５の頂部１５ａの延長線上の図１に示す第２仮想折曲線２１，２１を互いに裏面側にそれぞれ折曲して、隅飾り重合部２５，２５を形成する。
【０００９】
次に、図４〜図５に示すように前記隅飾り部１７の係止鈎部１６を、図１に示す第３仮想折曲線２２，２２および第４仮想折曲線２３，２３の部分にて裏面側にそれぞれ複数回重合折曲すると共に、前記隅飾り部１７の係止鈎部１６に一体に適宜形成している２つの第１係止片部１８、第１係止片部１９を内側にそれぞれ折曲係止する。
【００１０】
図６〜図７に示すように本発明の屋根用隅飾り具２４は、その中心線部２６を図８に示す例えば寄棟屋根２７の降り棟２７ａの角度に対応する所定の角度に折曲している。
このように前記屋根用隅飾り具２４を、上述のような構成にすると、一枚板で形成されているので、部品数が少なくてすみ、加工も容易で、かつ安価に供給できる。また、屋根用隅飾り具２４は、予め工場で製造しておくことにより施工に当たっては、ワンタッチ工程で手間が掛からないなどの効果がある。
また、前記屋根用隅飾り具２４を使用すれば、屋根板のつなぎが容易となり、化粧飾りとしても優れている。
【００１１】
図９〜図１０は、本発明の屋根用隅飾り具２４を使用して寄棟屋根２７を施工する第１および第２の手順について説明するための部分説明図である。
前記屋根用隅飾り具２４を、前記寄棟屋根２７の降り棟２７ａに順次取り付ける場合、まず、第１の手順においては、図９に示すように、最下位の屋根用隅飾り具２４を、降り棟２７ａの屋根下地板２８の上に載置し、前記隅飾り重合部２５，２５と前記張出部１４，１４との間にそれぞれ形成されている間隙に、長尺状金属屋根板２９，２９の側端縁を左右からそれぞれ挿入し、これらの長尺状金属屋根板２９，２９のエッジ部２９ａ，２９ａを、屋根取付け金具（吊子など）３０，３０を介して釘などで屋根下地板２８にそれぞれ固定する。
【００１２】
次に、第２の手順においては、図１０に示すように、前記最下位の屋根用隅飾り具２４の次に同様の屋根用隅飾り具２４を降り棟２７ａの屋根下地板２８の上に載置して、同様に前記隅飾り重合部２５，２５と前記張出部１４，１４との間にそれぞれ形成されている間隙に、長尺状金属屋根板２９，２９の側端縁を左右からそれぞれ挿入し、これらの長尺状金属屋根板２９，２９のエッジ部２９ａ，２９ａを、屋根取付け金具（吊子など）３０，３０を介して釘などで屋根下地板２８，２８にそれぞれ固定する。
このように、以下第１の手順と同様に、前記屋根用隅飾り具２４および長尺状金属屋根板２９，２９を降り棟２７ａの屋根下地板２８の上に止着し、順次最上部まで葺上げて図８に示すような寄棟屋根２７を施工する。
したがって、施工にあたっては、現場で板金加工を要しないから、ワンタッチ工程で極めて簡単となり、熟練工の手間を煩わせないなどの効果がある。
なお、本発明の実施例では、金属屋根板を長尺状の金属屋根板としたが、これに限らないこと勿論である。
【００１３】
【発明の効果】
上述のように本発明の屋根用隅飾り具による金属板屋根葺き施工法によれば、屋根用隅飾り具と金属屋根板とをワンタッチ工程で手間を掛けずに組み立てることができ、作業性が良く、熟練工が不要となり、安全であり、コストがかからないなどの効果を有する。
また、屋根用隅飾り具は、一枚板で形成されているので部品数が少なくてすみ、加工が容易で、かつ予め工場で製作できるので安価に供給できると共に、施工後に雨水が侵入しにくくなり、屋根板のつなぎが容易となり、化粧飾りとしても優れているなどの効果がある。
【図面の簡単な説明】
【図１】本発明の屋根用隅飾り具による金属板屋根葺き施工法に使用される屋根用隅飾り具の屋根用隅飾り具本体の一実施例を示す展開平面図である。
【図２】屋根用隅飾り具本体における一対の上方垂直部と下方突出部の頂部とを結ぶ線上を互いに表面側にそれぞれ折曲し、かつ一対の上方山形状突出部の頂部の延長線上を互いに裏面側にそれぞれ折曲した状態を示す屋根用隅飾り具の表面図である。
【図３】同屋根用隅飾り具の裏面図である。
【図４】さらに、隅飾り部の係止鈎部を裏面側にそれぞれ重合折曲した状態を示す屋根用隅飾り具の表面図である。
【図５】同屋根用隅飾り具の裏面図である。
【図６】中心線部を降り棟の角度に対応する角度に折曲して示す屋根用隅飾り具の表面図である。
【図７】同正面図である。
【図８】屋根用隅飾り具を寄棟屋根の降り棟に使用した状態を示す斜視図である。
【図９】本発明の屋根用隅飾り具による金属板屋根葺き施工法で寄棟屋根２７を施工する第１の手順について説明するための部分説明図である。
【図１０】本発明の屋根用隅飾り具による金属板屋根葺き施工法で寄棟屋根２７を施工する第２の手順について説明するための部分説明図である。
【図１１】従来の第１の屋根用隅飾り具による金属板屋根葺き施工法を説明するための展開図である。
【図１２】従来の第２の屋根用隅飾り具による金属板屋根葺き施工法を説明するための組立断面図である。
【図１３】従来の第３の屋根用隅飾り具による金属板屋根葺き施工法を説明するための概略断面図である。
【符号の説明】
１０    屋根用隅飾り具本体
１１    側方突出部
１２    垂直部
１３    下方突出部
１４    張出部
１５    山形状突出部
１５ａ  山形状突出部の頂部
１６    係止鈎部
１７    隅飾り部
１８    第１係止片部
１９    第２係止片部
２０，２０  第１仮想折曲線
２１，２１  第２仮想折曲線
２２，２２  第３仮想折曲線
２３，２３  第４仮想折曲線
２４    屋根用隅飾り具
２５    隅飾り重合部
２６    中心線部
２７    寄棟屋根
２７ａ  降り棟
２８    屋根下地板
２９    長尺状金属屋根板
２９ａ  エッジ部
３０    屋根取付け金具（吊子など）
【図１】
0003721427.tif 000002
【図２】
0003721427.tif 000003
【図３】
0003721427.tif 000004
【図４】
0003721427.tif 000005
【図５】
0003721427.tif 000006
【図６】
0003721427.tif 000007
【図７】
0003721427.tif 000008
【図８】
0003721427.tif 000009
【図９】
0003721427.tif 000010
【図１０】
0003721427.tif 000011
【図１１】
0003721427.tif 000012
【図１２】
0003721427.tif 000013
【図１３】
0003721427.tif 000014